(57)【要約】【課題】コンテンツをコピーしたり移動したりした際に、コンテンツのレジューム機能が利便性の高い機能として提供されるようにする。【解決手段】動画像データと音声データを含むコンテンツを記録媒体に記録再生する記録再生手段と、前記コンテンツの再生位置を示すレジューム情報を保持する保持手段と、前記コンテンツを他の記録媒体に移動またはコピーする編集手段と、前記コンテンツを移動する場合は、前記保持手段に保持されているコンテンツのレジューム情報を移動し、前記コンテンツをコピーする場合は、前記保持手段に保持されているコンテンツのレジューム情報はコピーしないように前記編集手段を制御する制御手段とを設け、ユーザが煩雑な設定操作を行なうことなしに、レジューム機能の制御を適時に行なうことができるようにする。【選択図】  図１
2008310901.tif 000002
【特許請求の範囲】
【請求項１】
コンテンツデータを記録媒体に対して記録再生する記録再生手段と、
前記コンテンツデータの再生停止位置に係るレジューム情報を保持する保持手段と、
前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する手段と、
前記指示に従って前記移動処理と前記コピー処理とを実行する制御手段とを備え、
前記制御手段は、前記移動処理においては前記保持手段に保持されているレジューム情報を前記他の記録媒体に記録し、前記コピー処理においては前記保持手段に保持されているレジューム情報を前記他の記録媒体に記録するのを停止することを特徴とする記録再生装置。
【請求項２】
前記制御手段は、前記コピー処理において、前記コンテンツデータに対してコピー禁止の制限がかけられていた場合、前記他の記録媒体に対する前記コンテンツデータの記録に伴い前記コンテンツデータを前記記録媒体から消去するとともに、前記レジューム情報を前記他の記録媒体に記録することを特徴とする請求項１に記載の記録再生装置。
【請求項３】
前記他の記録媒体に対してコンテンツデータを記録再生する第２の記録再生手段を備え、
前記制御手段は、前記記録再生手段と前記第２の記録再生手段とを制御することにより前記移動処理と前記コピー処理とを実行することを特徴とする請求項１に記載の記録再生装置。
【請求項４】
前記制御手段は、前記コピー処理において、前記保持手段に保持されたレジューム情報を消去するように制御することを特徴とする請求項１に記載の記録再生装置。
【請求項５】
前記コンテンツデータは音声データと画像データを含み、前記音声データを入力する音声入力手段と、前記画像データを入力する撮像手段とを備えることを特徴とする請求項１〜４の何れか１項に記載の記録再生装置。
【請求項６】
前記保持手段は、前記記録媒体に記録された複数のコンテンツデータのそれぞれについて前記レジューム情報を保持し、前記制御手段は、前記移動処理において、前記複数のコンテンツデータのうち前記他の記録媒体に記録されたコンテンツデータのレジューム情報を前記保持手段から読み出して前記他の記録媒体に記録することを特徴とする請求項１に記載の記録再生装置。
【請求項７】
前記制御手段は更に、前記コンテンツデータが複数である場合に、前記複数のコンテンツデータの中から選択されたコンテンツデータの再生指示に応じて、前記選択されたコンテンツデータのレジューム情報に従う位置より前記選択されたコンテンツデータを再生するよう前記記録再生手段を制御することを特徴とする請求項１に記載の記録再生装置。
【請求項８】
コンテンツデータを記録媒体に対して記録再生する記録再生工程と、
前記コンテンツデータの再生停止位置に係るレジューム情報を保持手段に保持する保持工程と、
前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する工程と、
前記指示に従って前記移動処理と前記コピー処理とを実行する制御工程とを備え、
前記制御工程は、前記移動処理においては前記保持手段に保持されているレジューム情報を前記他の記録媒体に記録し、前記コピー処理においては前記保持手段に保持されているレジューム情報を前記他の記録媒体に記録するのを停止することを特徴とする記録再生方法。
【請求項９】
前記制御工程は、前記コピー処理において、前記コンテンツデータに対してコピー禁止の制限がかけられていた場合、前記他の記録媒体に対する前記コンテンツデータの記録に伴い前記コンテンツデータを前記記録媒体から消去するとともに、前記レジューム情報を前記他の記録媒体に記録することを特徴とする請求項８に記載の記録再生方法。
【請求項１０】
前記他の記録媒体に対してコンテンツデータを記録再生する第２の記録再生工程を備え、
前記制御工程は、前記記録再生工程と前記第２の記録再生工程とを制御することにより前記移動処理と前記コピー処理とを実行することを特徴とする請求項８に記載の記録再生方法。
【請求項１１】
前記制御工程は、前記コピー処理において、前記保持手段に保持されたレジューム情報を消去するように制御することを特徴とする請求項８に記載の記録再生方法。
【請求項１２】
前記コンテンツデータは音声データと画像データを含み、前記音声データを入力する音声入力工程と、前記画像データを入力する撮像工程とを備えることを特徴とする請求項８〜１１の何れか１項に記載の記録再生方法。
【請求項１３】
前記保持工程は、前記記録媒体に記録された複数のコンテンツデータのそれぞれについて前記レジューム情報を保持し、前記制御工程は、前記移動処理において、前記複数のコンテンツデータのうち前記他の記録媒体に記録されたコンテンツデータのレジューム情報を前記保持工程から読み出して前記他の記録媒体に記録することを特徴とする請求項８に記載の記録再生方法。
【請求項１４】
前記制御工程は更に、前記コンテンツデータが複数である場合に、前記複数のコンテンツデータの中から選択されたコンテンツデータの再生指示に応じて、前記選択されたコンテンツデータのレジューム情報に従う位置より前記選択されたコンテンツデータを再生するよう前記記録再生工程を制御することを特徴とする請求項８に記載の記録再生方法。
【請求項１５】
コンテンツデータを記録媒体に対して記録再生する記録再生工程と、
前記コンテンツデータの再生停止位置に係るレジューム情報を保持手段に保持する保持工程と、
前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する工程と、
前記指示に従って前記移動処理と前記コピー処理とを実行する制御工程とをコンピュータに実行させ、
前記制御工程は、前記移動処理においては前記保持手段に保持されているレジューム情報を前記他の記録媒体に記録し、前記コピー処理においては前記保持手段に保持されているレジューム情報を前記他の記録媒体に記録するのを停止するようにコンピュータに実行させることを特徴とするプログラム。
【請求項１６】
請求項１５に記載のプログラムを記憶したことを特徴とするコンピュータ読み取り可能な記憶媒体。
【発明の詳細な説明】
【技術分野】
【０００１】
本発明は記録再生装置及び記録再生方法に関し、特に、動画像と音声データを含むコンテンツを記録媒体に記録再生する記録再生装置で、前記コンテンツの編集においてのレジューム情報を制御するために用いて好適な技術に関する。
【背景技術】
【０００２】
従来、記録可能なＤＶＤなどの光ディスク記録再生装置が知られている。
この種の装置においては、コンテンツの再生中に再生を停止した場合、再生停止位置を示すレジューム情報を記憶しておき、次回の再生時に、前回再生を停止した位置からコンテンツを再生するレジューム機能を持つものがある。
【０００３】
この様なレジューム機能により、ユーザは煩わしい操作を行なうことなく、記録媒体に記録されているコンテンツについて、再生中断位置から再生動作を再開させることができる（例えば、特許文献１を参照）。
【０００４】
近年、ＤＶＤなどの光ディスク以外に、ハードディスクやカードメモリ等に対して映像や音声を記録再生するビデオカメラが製品化されはじめた。前記のような記録媒体では、記録媒体に一つのレジューム情報を持つ場合や、記録シーンごとに、記録媒体に独立ファイルとして記録し、シーン（ファイル）ごとにレジューム情報を保持することが可能となっている。また、ビデオカメラ本体からＵＳＢなどのインターフェースを経由して、記録コンテンツをパソコンにコピーすることが可能となっている。
【０００５】
一方、近年はデジタル放送、デジタルテレビ、ハイビジョンテレビなどの普及に伴って、ビデオカメラなどの映像機器が扱う画像が飛躍的に高画質化するとともに、音声が高音質化している。また、デジタル信号は、アナログ信号に比べてコピー時の劣化が少ないため、コンテンツのコピーに関しては制限が設けられている。
【０００６】
例えば、コピー禁止、一回のみコピー許可、コピー禁止で移動のみ許可、コピーも移動も禁止等、コンテンツの著作権保護の必要性がさらに高まっている。また、その反面、ある記録媒体に記録済みのコンテンツを別の記録媒体に移動して、携帯型の再生機器を使用して外出先で鑑賞する機会や、別の記録媒体にコンテンツをコピーして友人に配布する機会も増えている。
【０００７】
【特許文献１】特開２００２−１９７７９２号公報
【発明の開示】
【発明が解決しようとする課題】
【０００８】
しかしながら、特許文献１によって提案されている従来のレジューム機能においては、同一機器または、同一の記録媒体においてのみ画像や音声を扱う限りでは利便性の高い機能である。しかしながら、コンテンツを他の記録媒体にコピーしたり、移動したりした場合のレジューム情報の扱いに関しての配慮が行なわれていなかった。
【０００９】
また、近年のデジタルコンテンツでは、著作権保護の要求からなるコンテンツ保護機能と、それに相反する、ユーザがコンテンツを他の記録媒体に自由に移動して、移動先の記録媒体でコンテンツ鑑賞したいという要求とがある。これらの要求に対しては、レジューム機能が勝手に動作してしまう場合がある。また、それとは逆に、レジューム動作が適時に機能しないという不都合が発生してしまい、利便性の面でレジューム機能が逆に妨げになってしまう問題がある。
【００１０】
本発明は前述の問題点に鑑み、コンテンツをコピーしたり移動したりした際に、コンテンツのレジューム機能が利便性の高い機能として提供されるようにすることを目的としている。
【課題を解決するための手段】
【００１１】
本発明の記録再生装置は、コンテンツデータを記録媒体に対して記録再生する記録再生手段と、前記コンテンツデータの再生停止位置に係るレジューム情報を保持する保持手段と、前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する手段と、前記指示に従って前記移動処理と前記コピー処理とを実行する制御手段とを備え、前記制御手段は、前記移動処理においては前記保持手段に保持されているレジューム情報を前記他の記録媒体に記録し、前記コピー処理においては前記保持手段に保持されているレジューム情報を前記他の記録媒体に記録するのを停止することを特徴とする。
【００１２】
本発明の記録再生方法は、コンテンツデータを記録媒体に対して記録再生する記録再生工程と、前記コンテンツデータの再生停止位置に係るレジューム情報を保持手段に保持する保持工程と、前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する工程と、前記指示に従って前記移動処理と前記コピー処理とを実行する制御工程とを備え、前記制御工程は、前記移動処理においては前記保持手段に保持されているレジューム情報を前記他の記録媒体に記録し、前記コピー処理においては前記保持手段に保持されているレジューム情報を前記他の記録媒体に記録するのを停止することを特徴とする。
【００１３】
本発明のプログラムは、コンテンツデータを記録媒体に対して記録再生する記録再生工程と、前記コンテンツデータの再生停止位置に係るレジューム情報を保持手段に保持する保持工程と、前記記録媒体に記録されたコンテンツデータを他の記録媒体に記録するとともに、前記他の記録媒体に対する前記コンテンツデータの記録に伴い、前記コンテンツデータを前記記録媒体から消去する移動処理と、前記記録媒体から前記コンテンツデータを消去することなく前記記録媒体に記録されたコンテンツデータを前記他の記録媒体に記録するコピー処理とを指示する工程と、前記指示に従って前記移動処理と前記コピー処理とを実行する制御工程とをコンピュータに実行させ、前記制御工程は、前記移動処理においては前記保持手段に保持されているレジューム情報を前記他の記録媒体に記録し、前記コピー処理においては前記保持手段に保持されているレジューム情報を前記他の記録媒体に記録するのを停止するようにコンピュータに実行させることを特徴とする。
【発明の効果】
【００１４】
本発明によれば、コンテンツを他の記録媒体に移動する場合は、前記保持手段に保持されているコンテンツのレジューム情報を移動し、前記コンテンツをコピーする場合は、前記保持手段に保持されているコンテンツのレジューム情報はコピーしないようにした。これにより、他の記録媒体でコンテンツを再生する際に、コンテンツを他の記録媒体に記録した態様に応じて、レジューム動作を適時に機能させることが可能となる。したがって、コンテンツをコピーしたり移動したりした際に、コンテンツのレジューム機能を利便性の高い機能として提供することができる。
【発明を実施するための最良の形態】
【００１５】
（第１の実施の形態）
図１は、本発明を適用できるデジタルカメラ、デジタルビデオカメラなどの撮像装置の一例を説明する構成図である。
図１において、２００は撮像装置、２０１は映像を取り込むレンズ、２０２は映像を電気信号に変換する固体センサー、２０３は電気信号に変換された映像をデジタルデータに変換するＡ／Ｄコンバータである。
【００１６】
また、２０５はアイリス、２０４はレンズ２０１とアイリス２０５とを駆動するモータ、２０９は音声を取り込むマイク、２１０は取り込んだ音声を増幅するマイクアンプである。２１１はマイクアンプ２１０で増幅された音声をデジタルデータに変換するＡ／Ｄコンバータである。２１２は撮像装置２００を操作する操作キー、２１３は映像を表示形式にする表示ドライバ、２１４は映像を表示するためのＬＣＤ、ＥＶＦ等の表示器である。
【００１７】
２１５は音声を出力するためのスピーカドライバ、２１６はスピーカ、２１７は諸情報を入出力する外部入出力端子である。第１の記録再生制御回路２２３、第２の記録再生制御回路２２４は記録媒体の記録再生を制御する制御回路である。１０１は第１の記録媒体、１０２は第２の記録媒体である。２３０はシステムを制御するＣＰＵである。また、２２２はＣＰＵ２３０とシステムのためのデータを記憶しておくメモリ、２２１は撮像装置２００の各部が動作するための電力を供給する電源装置である。
【００１８】
前述のように構成された撮像装置２００において、まず、記録動作の概略を説明する。
画像は、レンズ２０１を通って入射した被写体からの光は、固体センサー２０２で電気信号に変換される。そして、Ａ／Ｄ変換器（Ａ／Ｄコンバータ）２０３によってサンプリングされて動画像のデジタルデータに変換される。
【００１９】
前記デジタルデータは、輝度Ｙ、色差Ｃｒ、Ｃｂ、またはＲＧＢ信号などのデジタル映像信号として、ＣＰＵ２３０に入力される。レンズ２０１は、オートフォーカス機能とズーム機能により、ＣＰＵ２３０の制御命令でモータ２０４を駆動して移動させる。固体センサー２０２からデータを引き出すためのタイミング信号は、ＣＰＵ２３０により生成される。
【００２０】
アイリス２０５は、ＣＰＵ２３０によりモータ２０４の駆動で開度の制御がなされる。また、レンズ２０１が、防振機能（加速度センサー、防振アクチュエータなど）を備えている場合の動作は、図中記してはいないが、加速度センサーと防振アクチュエータの位置センサーがＣＰＵ２３０に入力されて行われる。例えば、防振制御出力信号がＣＰＵ２３０から出力されると、モータ２０４が防振アクチュエータを駆動制御して行われる。
【００２１】
音声系においては、音声入力手段として機能するマイク２０９より得られた音声信号が、マイクアンプ２１０で増幅され、その後、Ａ／Ｄ変換器２１１によりサンプリングされデジタルデータに変換されて、ＣＰＵ２３０に入力される。
【００２２】
デジタル映像信号は、ＣＰＵ２３０で色分離、白バランス、ガンマ補正、アパーチャ補正などの基本処理と、撮像装置２００の操作キー２１２で設定された、画像サイズ、画質調整、位置調整などの付加処理を行う。さらに、設定された圧縮方法と圧縮パラメータによってＭＰＥＧ、ＭＪＰＥＧ、ＪＰＥＧ、ＪＰＥＧ２０００、Ｈ２６４等の画像圧縮処理を行ない、画像圧縮データを得る。音声データは、撮像装置２００の操作キー２１２で設定された、音質調整などの付加処理を行ない、設定された圧縮方法と圧縮パラメータによって音声圧縮データを得る。
【００２３】
本実施形態では、画像圧縮データと音声圧縮データはＭＰＥＧ規格を採用し、ストリーム形式は、制御データと共にＭＰＥＧ規格で定められる、プログラムストリームやトランスポートストリームとしてデータストリームを形成する。前記制御データとは、撮像装置自体の情報、画像、音声などの記録設定情報、撮影環境情報などの撮影付加情報を意味する。
【００２４】
前記記録データストリームは、ＵＤＦ、ＦＡＴ等のファイルシステム管理の下に、ファイルとして後述するフォルダにコンテンツファイルとして、第１の記録媒体１０１、第２の記録媒体１０２に随時書き込まれる。この書き込みは、第１の記録再生制御回路２２３、第２の記録再生制御回路２２４の制御によって行われる。
【００２５】
操作者が操作キー２１２を操作して記録停止を指示した場合、第１の記録媒体１０１、第２の記録媒体１０２に対するデータの記録を停止するとともに、記録されたデータを管理ファイルに登録、更新をする。本実施形態では、操作者が操作キー２１２を操作することにより、第１の記録媒体１０１と第２の記録媒体１０２のどちらにデータを記録するかを選択可能である。更に、第１の記録媒体１０１と第２の記録媒体１０２の双方に記録することも可能である。
【００２６】
ファイルシステムとは、ファイルの管理を行なうための管理情報とファイルデータからなる構造体系を意味する。このファイルシステムを共通化することによって、異なった記録媒体あるいは記録再生機器でも記録再生できるわけである。前記記録データは、必要に応じて外部入出力端子２１７に送られる。さらに、確認用として、表示ドライバ２１３を通して、表示器２１４に表示される。
【００２７】
撮像装置２００の電源は、電源装置２２１より供給され各回路ブロックに供給される。第１の記録媒体１０１、第２の記録媒体１０２としては、各種のメモリカード、あるいはハードディスク、ＣＤ−ＲＷ、ＦＤ、ＭＤ、ＤＶＤ−ＲＡＭなどの磁気、或いは光記録メディアなどが考えられる。また、前記いずれも、装置固定またはリムーバブルのどちらでもよい。
【００２８】
本実施形態では、第１の記録媒体１０１としてハードディスクを用い、第２の記録媒体１０２として光ディスクを用いる例を説明する。
本実施形態では、ハードディスク１０１は撮像装置２００に内蔵されており、光ディスク１０２は不図示の着脱機構を用いて容易に装着、排出可能であるが、何れの記録媒体も撮像装置２００に内蔵される構成でもよい。また、逆に、何れの記録媒体も撮像装置２００に対して容易に排出、装着可能な構成でもよい。
次に、ハードディスク１０１と光ディスク１０２に記録されるデータのイメージを説明する。
【００２９】
図２は、円盤状の光ディスク１０２の外観であり、記録データは同心円上に、デジタルデータとして記録される。図２中Ａ部は、ディスク回転時にチャッキングするための穴である。図２中Ｂ部は、ディスク内に書かれるデータの管理を行なうデータを記録する管理領域である。また、図２中Ｃ部は、実際の記録情報データが書かれるデータ領域である。図２中Ｄ部及びＥ部は、実際の記録データが書かれる様子を示している。また、データ記録は、片面、両面、または２層、多層面などが用いられる。
【００３０】
図３は、第１の記録媒体１０１または第２の記録媒体１０２に記録されるファイルのフォルダ例である。図３において、ROOTフォルダの下に、VIDEO、DCIM、MISCの各フォルダがある。そして、VIDEOフォルダの下に、管理用のフォルダMANAGフォルダがあり、その下に、記録媒体の属性などが記述されたdisk.infファイルがある。
【００３１】
後で詳細に説明する記録媒体に記録されるコンテンツファイルを管理するファイルmgri001.infは、前記ファイルで記録媒体のコンテンツファイルを管理する。また、VIDEOフォルダ下の、PRG0001フォルダ以下にコンテンツファイル群と、記録媒体に記録されるコンテンツファイル群の代表画像を一括記録するimg0001.thmファイルが置かれる。また、記録媒体に記録される前記コンテンツ群のタイトル、検索用テーブル、付加情報、メインテナンス情報などを一括記録するimg0001.mp7が置かれる。
【００３２】
前記検索用テーブルは、コンテンツファイルの属性、タイトル、日付、付帯情報などをキーとしたハッシュテーブルを作成する。コンテンツファイル例として、MPEGデータファイルimg0001.mpg。前記MPEGデータストリームのタイムスタンプ、構造情報などが記載された情報ファイルimg0001.inf。MPEG音声データファイルimg0002.mp2。JPEG静止画像ファイルimg0004.jpg。テキストデータファイルimg0005.txt。ビットマップイメージファイルimg0006.bmp。記録媒体に記録されたコンテンツを使用して、シーン記述するプレイリストファイルimg0007.smi等が記録される。
【００３３】
コンテンツファイルの数、あるいは番号が所定以上、または所定の条件が変更された場合は、新たにVIDEOフォルダの下にPRG0002のようにフォルダを作成し、その下にコンテンツファイルを配置していく。コンテンツファイル番号は、たとえば、記録コンテンツファイルがMPEGデータストリームの場合、以前記録されたコンテンツファイルの番号に「＋１」をしたものをファイル名として使用する。
【００３４】
例えば、ファイル名をimg008.mpgとして、\VIDEO\PRG0001\の位置に記録する。この場合MPEG2ファイルは、MPEG2ファイル作成時に得られたストリームの情報ファイルをimg0008.infファイルとして合わせて記録する。また、ROOTの下に、DCFで規定されるDCIMや、DPOFで規定されるMISCフォルダの下に、それぞれの規格で規定されるコンテンツを配置することも可能である。
【００３５】
次に、コンテンツ管理ファイルmgri001.infの詳細を説明する。
コンテンツ管理ファイルが管理するコンテンツファイルは、図３で説明したVIDEOフォルダ以下のフォルダ、ファイル群を管理する場合と、ROOT以下記録媒体すべてのフォルダ、ファイル群を管理する場合が考えられる。さらに、記録媒体以外のファイル、例えば、イントラネット、インターネット上のコンテンツファイルにリンクすることも考えられる。本実施形態では、ROOT以下を管理するものとする。
【００３６】
図４は、コンテンツ管理ファイル（インデックスファイル）であり、付帯情報が記載される。付帯情報としては、mgri001.infインデックスファイル先頭に、管理情報として、インデックス種別情報、有効インデックス認識子、規格のバージョン、互換レベル、記録媒体のユニーク番号などである。また、ファイルサイズ、使用インデックス数、最大インデックス数、作成、更新、アクセス等の日付情報、作成者、テキスト情報、レジューム情報などである。
【００３７】
図５は、各インデックスの内容であり、属性、インデックス番号、付加情報の拡張インデックス、サムネイルのインデックスファイル名、このコンテンツの付加情報、後述するファイルレジューム情報、コンテンツ保護情報、その他の情報が記述される。
【００３８】
属性の例は、MPEG1は0x01、MPEG2は0x02、MPEG4は0x03、・・・プレイリストは0x80、効果は0x90とする。また、0xC0から0xFEは予約などと記載する。さらに、0xFFはメーカー独自の拡張属性として規定する。ファイル名に関して、別フォルダで同じファイル名を扱う場合には、フルパスでファイル名を記載する必要があるが、その場合、管理が煩雑になる。そのため、ファイル名に属性を付け管理することで管理を容易にすることができる。例えば、属性をVIDEOフォルダ＝0x00、DCFフォルダ＝0x01、・・・、機器外部フォルダ＝0x80などと規定する。
【００３９】
次に、前記コンテンツ保護情報の詳細について説明する。
コンテンツ保護情報は記録されたコンテンツに対して、著作権情報、編集可否情報、コピー制限情報などが含まれる。その中で、コピー制限情報は、コピー処理の許可／禁止フラグ、１回のみのコピー許可／禁止フラグ、移動許可／禁止フラグ等の情報を記録するもので、記録されたコンテンツに対しての保護情報が記録される。
【００４０】
各インデックスは、固定長、可変長どちらでもよいが、可変長の場合、各インデックスはサイズ情報が追加される。また、固定長、可変長のサイズは、ファイルシステムのセクタ、クラスタサイズのN倍単位にすることで、ファイルアクセスが容易になる。
【００４１】
次に、図１の構成において、基本の動画再生動作の概略を説明する。
第１の記録媒体１０１または第２の記録媒体１０２に記録されているコンテンツファイル群の中で、操作者が操作キー２１２を操作して選択した記録媒体中の、指定ファイルを再生する場合について説明する。
【００４２】
まず、指定された第１の記録媒体１０１または第２の記録媒体１０２から、第１の記録再生制御回路２２３または第２の記録再生制御回路２２４の制御の下に、前記コンテンツ管理ファイルmgri001.infを読み込んで解析する。前記管理ファイルのインデックスを解析することによって、その記録媒体中に記録されている動画コンテンツのリストが得られる。
【００４３】
前記コンテンツリストから操作者が操作キー２１２を操作して指定ファイルを選択する例を表示器２１４に一覧表示する。例えば、前記動画コンテンツリストから先頭から６個の代表画像（サムネイル）を、前記代表画像を一括記録するimg0001.thmから選択して、表示器２１４に一覧表示する。
【００４４】
操作者が操作キー２１２を操作して、所望のファイルを選択指定して再生実行を行った場合、まず、コンテンツファイル群の中から指定ファイルが記録再生制御回路２２３，２２４を通して読み込まれる。読み込まれたデータは、ＣＰＵ２３０に送られ、読み込まれたデータの解析及び分離が行われ、画像データ部、音声データ部、情報データ部等に供給される。
【００４５】
画像データ部は動画像データに所定の処理を施すためのものであり、処理する動画像データが圧縮されている場合には伸張処理を行ない、表示ドライバ２１３を通して、表示器２１４で表示される。音声データ部は音声データに所定の処理を施すためのものであり、処理する音声データが圧縮されている場合には伸張処理を行ない、スピーカドライバ２１５を通してスピーカ２１６に送られる。なお、情報データ部の内容によっては、画像データ、音声データのエフェクト、レタッチなどの加工処理を行う。また、必要に応じて、表示器２１４に表示する。また、前記動画像データ、音声データ、情報データは、外部入出力端子２１７にも送られる。
【００４６】
次に、前記動画再生動作中から、操作者が操作キー２１２を操作して再生を停止した場合のレジューム情報記録動作に関して説明する。
動画コンテンツ再生中に、操作者が操作キー２１２を操作して再生停止の操作を行なった場合、ＣＰＵ２３０は停止処理を実行し、レジューム情報を管理ファイルに記録する。本実施形態では、レジューム情報を記録する際、レジューム情報が存在していること示すフラグと停止実行されたファイル名、またはインデックス番号を前記管理ファイルmgri001.infに記録する。また、インデックス番号が示すインデックスのファイルレジューム情報に、当該ファイルの再生停止位置情報として、再生停止時の先頭からの経過時間、または再生停止時におけるアドレスを記録する。
【００４７】
このようにして再生を停止した後で、再生開始の指示があった場合、ＣＰＵ２３０は、管理ファイルmgri001.infを読み込み解析する。前記管理ファイル情報からレジューム情報が有効か無効かを判定する。この判定の結果、有効となっている場合は、再生指示されたファイルのインデックス情報中の、ファイルレジューム情報を取得してレジューム情報の示す再生停止位置から再生を開始する。
【００４８】
前記は再生動作、再生停止、再生開始動作でのレジューム再生を説明した。しかし、この他に、再生動作、再生停止からの、記録などのモード移行、電源OFFまたは記録媒体の取りはずしをした後、再生モードで再度動作され、再生開始をした場合に、前回の再生停止直後から再生を開始することも可能である。
【００４９】
また、ユーザは操作キー２１２を操作することにより、レジューム機能を無効にすることも可能である。
レジューム機能の無効指示があった場合、再生停止の指示の際、管理ファイルmgri001.infのレジューム情報の示すインデックスのファイルレジューム情報をクリアする（数値や指示が与えられていない状態にする）。さらに、クリアするとともに、前記管理ファイル内のレジューム情報を無効に設定することにより、レジューム情報を消去することができる。
【００５０】
ユーザによる指示以外にも、レジューム情報を消去するタイミングを撮像装置２００の動作仕様として、自由に設定することが可能である。一例として、再生を再開した場合、停止操作を２回連続に行った場合、再生から記録動作モードに切換える場合、電源をＯＦＦする場合等が一般的である。
【００５１】
次に、コンテンツのコピーと移動動作について説明する。
コンテンツのコピーは、第１の記録媒体１０１または第２の記録媒体１０２に記録されているコンテンツを、別な記録媒体に複製する動作である。この場合、撮像装置２００内の別記録媒体にコピーする場合と、記録媒体に記録されているコンテンツを、ＵＳＢなどの外部入出力端子２１７を通して外部機器にコピーする場合が考えられる。例えば、パソコン、外部ストレージ、ネットワーク上のＰＣまたはストレージなどにコピーする場合が考えられる。
【００５２】
それに対して、コンテンツの移動は、第１の記録媒体１０１または第２の記録媒体１０２に記録されているコンテンツを、別な記録媒体に記録して、移動もとの記録媒体に記録されたコンテンツを消去する動作である。この場合も、撮像装置２００内の別記録媒体に移動し、移動もとの記録媒体からコンテンツを消去する場合と、記録媒体に記録されているコンテンツを、ＵＳＢなどの外部入出力端子２１７を通して外部機器に移動する。そして、移動もとのコンテンツを消去する場合が考えられる。
【００５３】
本実施形態では、ハードディスクである第１の記録媒体１０１に記録されたデータを光ディスクである第２の記録媒体１０２にコピーまたは移動する場合について説明するが、光ディスク１０２からハードディスク１０１にコピーする場合も同様である。
【００５４】
図７はコピー動作の概略を説明する図である。
記録媒体Ａ（本実施形態ではハードディスク１０１）から記録媒体Ｂ（本実施形態では光ディスク１０２）にコンテンツをコピーする場合、コンテンツデータを記録媒体Ｂに記録する。また、記録媒体Ｂに対するコピーに伴い、記録媒体Ｂの管理データも更新する。しかし、コピーしたコンテンツデータに付随するレジューム情報はコピーしない。このようにした場合、記録媒体Ｂに既にレジューム情報が存在している場合は、レジューム情報が消去されず、記録媒体Ｂに保持される。しかし、撮像装置２００の仕様によっては、記録媒体Ｂに既に記録されていたレジューム情報を消去する、または、記録媒体Ａのレジューム情報を消去する構成とすることも可能である。
【００５５】
図８は、移動動作の概略を説明する図である。
記録媒体Ａから記録媒体Ｂにコンテンツを移動する場合、コンテンツデータを記録媒体Ｂに記録し、記録媒体Ｂに対するコンテンツの移動に伴って記録媒体Ｂの管理データも更新する。また、記録媒体Ｂに記録したコンテンツデータに付随するレジューム情報も記録媒体Ａから読み出して記録媒体Ｂに記録する。コンテンツデータ及びレジューム情報を記録媒体Ａから記録媒体Ｂに記録した後で、記録媒体Ｂに記録されたコンテンツデータと、このコンテンツデータに伴うレジューム情報を記録媒体Ａから消去する。また、記録媒体Ａの管理データを更新する。
【００５６】
図６は、本実施形態のコンテンツのコピー動作または移動動作の一例を説明するフローチャートである。
図６において、ステップＳ１０１でコンテンツのコピーまたは移動指示があった場合、ステップＳ１０２に進み、コピー指示か移動指示の判定を行なう。この判定の結果、移動指示の場合は、ステップＳ１０９に進み、コンテンツの付帯情報に移動制限があるか判定する。
【００５７】
この判定の結果、移動禁止の制限がある場合は、表示器２１４に表示して、コンテンツが移動禁止で移動できないことを操作者に通知し、その後、ステップＳ１５０に進んで作業終了する。一方、ステップＳ１０９の判定の結果、移動許可の場合にはステップＳ１１０に進み、前述した図８で説明したコンテンツの移動動作を行なう。すなわち、「コンテンツ移動」、及び「レジューム情報移動」の処理を実行する。
【００５８】
また、ステップＳ１０２においてコピー指示と判定した場合は、ステップＳ１０３に進み、コピー対象コンテンツの付帯情報にコンテンツ保護情報でコピー制限があるか否かを判定する。この判定の結果、コピー禁止の場合には、表示器２１４に表示して、コピー禁止でコピーできないことを操作者に報知する。次に、移動動作を行なう通知を行ない、ステップＳ１０９に移行する。この状態で、移動動作を行なうか否かの選択を操作者が選択できるようにする選択手段を設けることも可能である。
【００５９】
一方、ステップＳ１０３の判定の結果、コピー許可の場合、ステップＳ１０４に進み、図７で説明したコンテンツのコピー動作を行ない、その後、ステップＳ１５０に移行して作業終了する。
【００６０】
前述においては、コンテンツのコピー、移動処理において、前記コンテンツに付随するレジューム情報の制御方法を説明した。しかしながら、レジューム情報以外に、コンテンツに付随する再生動作状態の情報もコピー、移動の場合、コピーでは前記再生動作状態の情報をコピーせず、移動では前記再生動作状態の情報を移動することも考えられる。前記再生動作状態は、視聴回数、再生環境情報などの再生時の状態を示す情報である。
【００６１】
以上説明したように、コンテンツデータをコピーする場合、それに伴う管理データも更新するが、コンテンツデータに付随するレジューム情報はコピーしない。また、コンテンツを移動する場合、コンテンツデータを移動し、それに伴う管理データも更新する、また、コンテンツデータに付随するレジューム情報も移動する。これによって、操作者の煩雑な設定なしに、レジューム機能の適時の制御が実行されるため、利便性と操作性の高い機能を提供することができる。
【００６２】
また、コンテンツに付随するコンテンツ保護情報を判定することによって、著作権保護とレジューム機能の異なる目的で整合性をとった有効なレジューム機能を提供することができる。
【００６３】
また、撮像装置２００に、レジューム情報のコピーまたは移動を選択する選択手段を設けることによって、操作者が必要に応じてマニュアルで設定する機能を提供できる。さらに、実施形態で説明した撮像装置２００のような記録再生装置のみならず、音声と画像を入力するビデオカメラなどの機器に適用して好適なレジューム制御機能を提供することができる。
【００６４】
以上説明したように、本実施形態の撮像装置２００によれば、コンテンツを他記録媒体、または他装置で再生鑑賞するために移動した場合は、移動先で再生鑑賞する際に、移動前の再生位置から再生を開始するレジューム機能が有効になる。また、コンテンツを他人に配布するためにコピーをした場合は、レジューム機能は働かない。このため、コンテンツを配布された人がコンテンツを再生する場合には、ユーザが煩雑な設定操作を行なうことなしに、レジューム機能の制御を適時に行なうことができる。これにより、利便性と操作性の高い機能を提供することができる。
【００６５】
さらに、コンテンツの著作権保護に対応して、レジュームのコピーと移動の処理が適時に制御されるようにしたので、著作権保護とレジューム機能の異なる目的で整合性をとった有効なレジューム機能が提供することができる。
【００６６】
さらに、レジューム情報のコピーまたは移動を選択する選択手段を設けたので、必要に応じて操作者が、レジューム情報のコピーまたは移動をマニュアルで設定することが可能となる。これにより、ユーザの意思でレジューム情報の移動、コピー、コピー時におけるコピー元のレジューム情報のクリアなどを選択することができる。
また、本実施形態のその他の特徴によれば、記録再生装置のみならず、音声と画像を入力するビデオカメラなどの機器に適応した前記レジューム制御機能を提供することができる。
【００６７】
（本発明に係る他の実施の形態）
前述した本発明の実施の形態における記録再生装置を構成する各手段、並びに記録再生方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００６８】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００６９】
なお、本発明は、前述した実施の形態の機能を実現するソフトウェアのプログラム（実施の形態では図６に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００７０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７１】
その場合、プログラムの機能を有していれば、オブジェクトコード、インタプリタにより実行されるプログラム、ＯＳに供給するスクリプトデータ等の形態であってもよい。
【００７２】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００７４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７６】
また、コンピュータが、読み出したプログラムを実行することによって、前述した実施の形態の機能が実現される他、コンピュータ上で稼動しているＯＳなどが、実際の処理の一部または全部を行なうことによっても前述した実施の形態の機能が実現され得る。
【００７７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施の形態の機能が実現される。
【図面の簡単な説明】
【００７８】
【図１】本発明の実施形態を示し、撮像装置の全体構成を説明するブロック図である。
【図２】本発明の実施形態において使用するディスク記録媒体の説明図である。
【図３】本発明の実施形態において記録媒体に記録されるファイルのフォルダ例を説明する図である。
【図４】本発明の実施形態におけるコンテンツ管理ファイルの一例を説明する図である。
【図５】本発明の実施形態における各インデックスの内容の一例を説明する図である。
【図６】本発明の実施形態を示し、コンテンツのコピー動作または移動動作の一例を説明するフローチャートである。
【図７】本発明の実施形態を示し、コピー動作の概略を説明する図である。
【図８】本発明の実施形態を示し、移動動作の概略を説明する図である。
【符号の説明】
【００７９】
１０１  第１の記録媒体
１０２  第２の記録媒体
２００  撮像装置
２０１  レンズ
２０２  固体センサー
２０３  Ａ／Ｄコンバータ
２０４  モータ
２０５  アイリス
２０９  マイク
２１０  マイクアンプ
２１１  Ａ／Ｄコンバータ
２１２  操作キー
２１３  表示ドライバ
２１４  表示器
２１５  スピーカドライバ
２１６  スピーカ
２１７  外部入出力端子
２２１  電源装置
２２２  メモリ
２２３  第１の記録再生制御回路
２２４  第２の記録再生制御回路
２３０  ＣＰＵ
【図１】
2008310901.tif 000003
【図２】
2008310901.tif 000004
【図３】
2008310901.tif 000005
【図４】
2008310901.tif 000006
【図５】
2008310901.tif 000007
【図６】
2008310901.tif 000008
【図７】
2008310901.tif 000009
【図８】
2008310901.tif 000010